(57)【要約】【課題】クラブ種類の変更、使用者の身長の差異に対応できるゴルフスィング始動軌道練習用補助具を提供すること。【解決手段】支柱に支持されるアーム回転軸受け具と、該アーム回転軸受け装置に固定されたゴルフクラブシャフト誘導用アームと、該アーム回転軸受け装置に回転力を付勢する回転ばねとを含むスィング始動軌道練習用補助具。前記回転用ばねに回転力を付勢する、ばね力充填モーターと、該ばね力充填モーターに対するコンピュータ制御装置とを追加装備する。前記アーム回転軸受け装置に回転力を付勢する双方向回転電動モーターと、該双方向回転電動モーターの回転力、始動時期、回転速度を指令するコンピュータ制御装置とを追加装備する。【選択図】図１５
2006116169.tif 000002
【特許請求の範囲】
【請求項１】
支柱に支持されるアーム回転軸受け具と、
該アーム回転軸受け装置に固定されたクラブシャフト誘導用アームと、
該アーム回転軸受け装置に回転力を付勢する回転ばねと、
を含むゴルフスィング始動軌道練習用補助具。
【請求項２】
複数本の接地体よりなる地上固定用スタンドと、
該地上固定用スタンドの中央より直立する支柱と、
該支柱に支持されるアーム回転軸受け具と、
該アーム回転軸受け装置に固定されたクラブシャフト誘導用アームと、
該アーム回転軸受け装置に回転力を付勢する回転ばねと
を含むゴルフスィング始動軌道練習用補助具。
【請求項３】
複数本の接地体よりなる地上固定用スタンドと、
該地上固定用スタンドの中央より直立する支柱と、
該支柱に支持されるアーム回転軸受け具と、
該アーム回転軸受け装置に固定されたクラブシャフト誘導用アームと、
該アーム回転軸受け装置に回転力を付勢する回転ばねと
該回転用ばねに回転力を付勢する、ばね力充填モーターと、
該ばね力充填モーターに対するコンピュータ制御装置と
を含むゴルフスィング始動軌道練習用補助具。
【請求項４】
複数本の接地体よりなる地上固定用スタンドと、
該地上固定用スタンドの中央より直立する支柱と、
該支柱に支持されるアーム回転軸受け具と、
該アーム回転軸受け装置に固定されたクラブシャフト誘導用アームと、
該アーム回転軸受け装置に回転力を付勢する双方向回転電動モーターと
該双方向回転電動モーターの回転力、始動時期、回転速度を指令するコンピュータ制御装置と
を含むゴルフスィング始動軌道練習用補助具。
【請求項５】
前記支柱に伸縮機構を装備して、アームの先端作用部の上下位置を変更自在とするとともに、
支柱とアーム回転軸受け装置とを、首振り機構を介して連結して、アーム回転軸受け装置の軸の傾斜角度を変更自在としたこと
を特徴とする請求項１、２、３、4に記載するゴルフスィング始動軌道練習用補助具。
【発明の詳細な説明】
【技術分野】
【０００１】
本願発明は、クラブスィングにおけるテークバック時のクラブヘッド始動の基本を正しく習得するための練習用補助具に関するものである。
【背景技術】
【０００２】
この種のクラブスィング練習のための補助具として、実開昭６１−１４８３６８号公開実用新案公報「ゴルフスウイング矯正器」（特許文献１）が公知である。
【０００３】
【特許文献１】実開昭６１−１４８３６８号公開実用新案公報
【発明の開示】
【発明が解決しようとする課題】
【０００４】
特許文献１（実開昭６１−１４８３６８号公開実用新案公報）「ゴルフスウイング矯正器」は、テークバックスィングに際してのクラブ始動軌道補助具で、支軸を中心として回転するアームの先端に弓状に曲げた細い棒（クラブヘッドの軌道を想定）を取付け、ゴルフにおけるショットの際のテークバックで、クラブヘッドの軌道の方向性を示してバックスィングを誘導している。即ち、アームの先端に弓状に曲げた細い棒により、視覚的にテークバックスィングを誘導している。よって、誘導するバックスィング軌道は一定であることで、クラブ種類の変更、身長の異なるブレーヤーに対応できない問題点がある。
【０００５】
本発明は、クラブ種類の変更、使用者の身長の差異に対応できるゴルフスィング始動軌道練習用補助具を提供することを課題とする。
【課題を解決するための手段】
【０００６】
本発明は、支柱に支持されるアーム回転軸受け具と、該アーム回転軸受け装置に固定されたゴルフクラブシャフト誘導用アームと、該アーム回転軸受け装置に回転力を付勢する回転ばねとを含むスィング始動軌道練習用補助具を提供する。
【発明の効果】
【０００７】
本発明は、クラブシャフト誘導用アームの運動軌跡および速度により、素振りおよび試打を含めたゴルフスイング練習を行う際に、クラブヘッドの始動の基本を習得するためのの初期軌道を正確に補助することができて、反復練習を気軽にでき、クラブの初動軌道を誰の助けも借りずに習得することができる。
また、ウッド、アイアンのほか身長の異なるプレーヤーでも、クラブシャフト誘導用アーム（始動補助アーム）の高低や角度を自在に調整できモーターめ、誰でも理想的なスイング始動軌道を習得可能である。
【発明を実施するための最良の形態】
【０００８】
本発明のゴルフ練習用のスィング始動軌道練習装置は、複数本の接地体１０よりなる地上固定用スタンド1と、該地上固定用スタンド１の中央より直立する支柱２と、該支柱２に支持されるアーム回転軸受け装置３と、該アーム回転軸受け装置３の軸3ａに固定されたクラブシャフト誘導用アーム４と、前記アーム回転軸受け装置３に支持される軸3ａに回転力を付勢する回転用ばね５とを装備して構成する。
【実施例】
【０００９】
まず、図1ないし図５を参照して、本願発明の基本的な実施態様を説明する。
図１を参照して、地上固定用スタンド1の中央に支柱２を直立させ、該支柱２の上方部に、クラブシャフト誘導用アーム４を固定したアーム回転軸受け装置３を装備する。該アーム回転軸受け装置３に回転用ばね５(コイルスプリングバネ)を装備する。
【００１０】
図２を参照して、Ｂ点の停止位置にあるクラブシャフト誘導用アーム４をアドレス位置
へ強制的に回転させ移動する(イ)ことで、回転用ばね(コイルスプリングバネ)５はねじられた状態となって、クラブシャフト誘導用アーム４にＢ点に向かう回動力が付与される。
【００１１】
Ｂ点にクラブシャフト誘導用アーム４が位置する状態で、クラブシャフト誘導用アーム４に作用する力を抜いてフリーな状態とすることで、回転用ばね(コイルスプリングバネ)５に蓄積された弾性力によりクラブシャフト誘導用アーム４はもとのＡ点まで回動する(ロ)。これによって、クラブシャフトＭをテークバック方向へその速度と軌道方向を正確に動かすことができる。
【００１２】
図３および図４は、クラブシャフト誘導用アーム４およびアーム回転軸受け装置３の他の実施態様を示す図１同様の側面図、図２同様の平面図で、クラブシャフト誘導用アーム４は下向きに傾斜しその先端作用部４ａは水平方向である。
【００１３】
図５の実施態様は、アーム回転軸受け装置３の取付け位置を上下変更自在とし、図６の実施態様は、支柱２におけるアーム回転軸受け装置３の取付け部分をアドレス対応位置と反対側へ傾斜している点で、図５の実施態様と相違する。
【００１４】
上述の実施態様においては、クラブシャフト誘導用アーム４の先端作用部４ａはいずれも水平移動である。
【００１５】
図７および図８の実施態様においては、クラブシャフト誘導用アーム４の先端作用部４ａは、軌跡Ｓをイメージする水平面と垂直面との間で角度を有する円周回転移動である。
【００１６】
図７においては、アーム回転軸受け装置３を、支柱２の上端に、且つ、軸3ａを傾斜方向で装備する。
【００１７】
図８においては、支柱2に伸縮機構６を装備して、先端作用部４ａの上下位置を変更自在とするとともに、支柱2とアーム回転軸受け装置３とを、首振り機構７を介して連結して、アーム回転軸受け装置３の軸3ａの傾斜角度を変更自在とする。
【００１８】
図７および図８の実施態様においては、クラブシャフト誘導用アーム４の先端作用部４ａによるシャフトＭの誘導範囲は、正面視で図９に示すごとく、後方の停止位置Bとアドレス位置Aとの間が、誘導角βとなる。Cはスタート手動位置である。
【００１９】
上記の図７、図８の具体的な実施例を図１０ないし図１９を参照して、以下詳細に説明する。
【００２０】
まず、図１０ないし図１４に示す実施例を説明する。
複数本の接地体１０よりなる地上固定用スタンド1の中央に支柱２を直立させ、該支柱２の上方に首振り機構７を介して支持ブロック８を装備する。支柱２には伸縮機構６を装備する。
前記支持ブロック８に、クラブシャフト誘導用アーム４を固定した軸３ａを支持するアーム回転軸受け装置３を装備する。
【００２１】
アーム回転軸受け装置３の軸に回転力を付勢する回転用ばね５を装備する。図14を参照して、回転用ばね５には、ロック機構９を付設するとともに、ばね力(速度)調節ねじ５ａを設ける。
【００２２】
図１０ないし図１４において、１２は、支柱２を地上固定用スタンド1に固定するための固定ねじ、１３は伸縮機構６の伸縮固定用の高さ調整レバーである。
【００２３】
支持するアーム回転軸受け装置３には、角度表示ライン１４ａを有する角度板１４を固定するとともに、軸３aの端面にクランプ１５を装備して、該クランプ１５でクラブシャフト誘導用アーム４を固定位置を調整自在に固定する。１５ａは固定位置調整用のねじである。
【００２４】
クラブシャフト誘導用アームの先端部には、クラブシャフトとの接触に優しい素材の周面保護具１６を装備する。
【００２５】
つぎに、図１５ないし図１９を参照して、本願発明の第２実施例を説明する。
第２実施例は、図１０ないし図１４に示す第１実施例において、アーム回転軸受け装置３の軸に回転力を付勢する回転用ばね５に、ばね力充填モーター１７を装備するとともに、該ばね力充填モーター１７にたいするコンピュータ制御装置１８を支柱２の下部その他適所に装備する。
【００２６】
請求項２記載の第１実施例にあいては、回転用ばね５は手動操作につき無電源での作動を可能とするが、請求項３記載の第２実施例においては、前記ばね力充填モーター１７およびコンピュータ制御装置１８を装備したことで、クラブシャフト誘導用アーム４のスタート位置Cへの移動を自動的に行わせることが可能となる。
【００２７】
さらに、請求項4記載の第3実施例においては、アーム回転軸受け装置３の軸に、ばね力充填モーター１７に代えて、回転力を付与する双方向回転電動モーター２６を装備したことにより、コンピュータ制御装置１８によるマイコン制御の設定指令にもとづき、クラブシャフト誘導用アーム４の固定位置、回転開始タイミング、クラブ始動開始速度、回転速度等を自在に設定できる。
【００２８】
地上固定用スタンド1の形状・構造は適宜変更可能であり、第２実施例では、地上固定用スタンド1を、左右一対の接地板１Ｐ、１Ｐ と、連結板１Ｑとで構成している。
【００２９】
さらに、地上固定用スタンド1を省いて、支柱２を直接地中に打ちこみ固定したり、ゴルフ場の施設機材に固定または着脱自在としてもよいものである。
【００３０】
図２０および図２１は、地上固定用スタンド1を、ゴルフ練習場のゴルフボール繰り出し器２０に固定、着脱自在とした場合の一例を示す。
【００３１】
図２０に示す実施例は、ゴルフボール繰り出し器２０の側面２１にビス２３により着脱自在に固定された固定支持具２２を設ける。なお、ビス２３により着脱自在に固定に代えて、溶着による固定として、固定支持具２２をゴルフボール繰り出し器２０と一体化してもよいものである。
【００３２】
図２１に示す実施例は、ゴルフボール繰り出し器２０の側面２１に、係合する垂下片２４を設けた固定支持具２２により、地上固定用スタンド1を、ゴルフ練習場のゴルフボール繰り出し器２０に着脱自在とする。
【００３３】
図２２は、穴２４を有するゴムマット２５を地上固定用スタンド１の上面に載置することで、地上固定用スタンド１の設置箇所を任意とする。
【００３４】
つぎに、本発明の使用手順を説明する。
クラブシャフト誘導用アーム４は、練習スィングに支障のない後方の停止位置B      に回転用ばね５の作用により停止している。
練習スイングを行う前に、クラブシャフト誘導用アーム４を何らかの人力により半強制的にスタート位置Cまで回転移動させ、一時的にその位置でブレーキ停止させる。
【００３５】
次いで、ゴルフクラブＭをアドレス位置Ｐにセッティングした後に、一時的に停止させたクラブシャフト誘導用アーム４が、ブレーキ作用を解き放された回転用ばね5により、後方の停止位置Bに戻ろうとする回転運動により、クラブシャフトＭをアドレス位置Aから、テークバック、スイングトップ位置へと、始動方向へ押出す機能を発揮する。
【００３６】
この機能を練習スィングに活用することにより、理想的テークバックの始動方法および軌道・速度を繰返し行うことにより、スイングトップ位置までのゴルフスイングの初動軌道を誰の助けも借りずに習得させることができる。
【００３７】
図２３を参照して、クラブシャフト誘導用アーム４の先端作用部４ａによるシャフトＭの誘導範囲は、正面視で図９と同様に、後方の停止位置Bとアドレス位置Aとの間が、誘導角βとなる。Cはスタート手動位置である。
【００３８】
上記の実施例では、ゴルフスィング練習用における正しいテークバックの行い方に関するゴルフスイング始動軌道補助具としての説明したが、本願発明は、クラブシャフト誘導用アームをスタート位置より停止位置B の反対方向に作用させる構成とすることで、スィングフォーロー（ボールを打った後）のスイング軌道全般の練習用にも適用可能である。
【図面の簡単な説明】
【００３９】
【図１】本発明のゴルフスイング始動軌道補助具の基本的な実施態様示す側面図。
【図２】同じく平面図。
【図３】他の実施態様示す図１同様の側面図。
【図４】同じく図２同様の平面図。
【図５】さらに他の実施態様示す図１同様の側面図。
【図６】さらに他の実施態様示す図１同様の側面図。
【図７】本発明の作用を示す軌跡Ｓの側面視説明図。
【図８】伸縮機構および首振機構を装備した実施態様における図７同様の側面視説明図。
【図９】本発明の作用を示す正面視説明図。
【図１０】本発明のゴルフスイング始動軌道補助具の実施例を示す側面図。
【図１１】同じく正面図。
【図１２】同じく背面図。
【図１３】地上固定用スタンドの平面図。
【図１４】アーム回転軸受け装置を示し、a図は平面図、b図は縦断面図。
【図１５】本発明のゴルフスイング始動軌道補助具の第２実施例を示す図１０同様の側面図。
【図１６】同じく図１１同様の側面図。正面図。
【図１７】同じく図１２同様の背面図。
【図１８】同じく図１３同様の平面図。
【図１９】第３実施例におけるアーム回転軸受け装置を示し、a図は平面図、b図は縦断面図。
【図２０】地上固定用スタンドをゴルフボール繰り出し器に固定自在とする構成を示す斜視図。
【図２１】同じく他の実施例を示す斜視図。
【図２２】ゴムマットを使用した地上固定用スタンドの設置例を示す斜視図。
【図２３】図９同様の本発明の作用を示す正面視説明図。
【符号の説明】
【００４０】
１    地上固定用スタンド
２    支柱
３    アーム回転軸受け装置
４    クラブシャフト誘導用アーム
５    回転用ばね  
６    伸縮機構  
７    首振り機構
１７    ばね力充填モーター  
１８    コンピュータ制御装置
２６    双方向回転電動モーター
【図１】
2006116169.tif 000003
【図２】
2006116169.tif 000004
【図３】
2006116169.tif 000005
【図４】
2006116169.tif 000006
【図５】
2006116169.tif 000007
【図６】
2006116169.tif 000008
【図７】
2006116169.tif 000009
【図８】
2006116169.tif 000010
【図９】
2006116169.tif 000011
【図１０】
2006116169.tif 000012
【図１１】
2006116169.tif 000013
【図１２】
2006116169.tif 000014
【図１３】
2006116169.tif 000015
【図１４】
2006116169.tif 000016
【図１５】
2006116169.tif 000017
【図１６】
2006116169.tif 000018
【図１７】
2006116169.tif 000019
【図１８】
2006116169.tif 000020
【図１９】
2006116169.tif 000021
【図２０】
2006116169.tif 000022
【図２１】
2006116169.tif 000023
【図２２】
2006116169.tif 000024
【図２３】
2006116169.tif 000025